(57)【要約】      （修正有）【課題】短絡板の接触時に発生する溶断現象を防止することが可能な二次電池を提供する。【解決手段】電極組立体１０と、電極組立体を収容するケース４０と、ケースを密封し短絡孔５１ｃを有する蓋板５１を含むキャップ組立体５０と、短絡孔に設けられる第１短絡板６１、蓋板から離隔した外側に短絡孔を覆うように設けられる第２短絡板６２、及び第１短絡板と第２短絡板の間に設けられる第３短絡板６３を含む短絡部材６０とを備える。【選択図】図２
2011154992.tif 000002
【特許請求の範囲】
【請求項１】
電極組立体と、
前記電極組立体を収容するケースと、
前記ケースを密封し短絡孔を有する蓋板を含むキャップ組立体と、
前記短絡孔に設けられる第１短絡板、前記蓋板から離隔した外側に前記短絡孔を覆うように設けられる第２短絡板、及び前記第１短絡板と前記第２短絡板の間に設けられる第３短絡板を含む短絡部材と、
を備えることを特徴とする、二次電池。
【請求項２】
前記第３短絡板は、前記第２短絡板から離隔することを特徴とする、請求項１に記載の二次電池。
【請求項３】
前記第３短絡板は、前記短絡孔の一側に連結される一端部側と、前記短絡孔の他側から離隔する他端部側とを有することを特徴とする、請求項１に記載の二次電池。
【請求項４】
前記第３短絡板は、前記二次電池の内部圧力が設定圧力より大きくなると、前記第１短絡板によって前記第２短絡板と接触することを特徴とする、請求項１に記載の二次電池。
【請求項５】
前記第１短絡板は、下方に突出するラウンド部と、前記蓋板に固定され前記ラウンド部の縁に形成された縁部とを含む反転板からなることを特徴とする、請求項１に記載の二次電池。
【請求項６】
前記短絡孔の内側は階段状からなり、前記短絡孔の直径は下部から上部に向かって大きくなることを特徴とする、請求項１に記載の二次電池。
【請求項７】
前記短絡孔の側面は、下部から上部へ順に第１段差面、第２段差面及び第３段差面を有し、
前記第１短絡板は前記第１段差面に固定され、
前記第３短絡板は前記第２段差面の一側に固定されることを特徴とする、請求項６に記載の二次電池。
【請求項８】
前記第２短絡板と前記蓋板の間に設けられ、前記短絡孔と対応する領域が開口された上部絶縁部材をさらに備えることを特徴とする、請求項１に記載の二次電池。
【請求項９】
前記第２短絡板と第３短絡板は、対向する面が平らであることを特徴とする、請求項１に記載の二次電池。
【請求項１０】
前記二次電池の内部圧力が設定圧力より大きくなると、前記第３短絡板は前記第１短絡板によって前記第２短絡板と線接触することを特徴とする、請求項９に記載の二次電池。
【請求項１１】
前記第２短絡板は第３短絡板と対向する面が平らであり、
前記第３短絡板は前記第２短絡板と対向する面のうち前記短絡孔の内側から離隔する端部側に角を削いだ形状を有する面取り部を有することを特徴とする、請求項１に記載の二次電池。
【請求項１２】
前記二次電池の内部圧力が設定圧力より大きくなると、前記第２短絡板は前記第１短絡板によって前記第３短絡板の面取り部と面接触することを特徴とする、請求項１１に記載の二次電池。
【請求項１３】
前記第２短絡板は、
ホールと、
前記第３短絡板と対向する面に形成され、前記ホールの周辺に突出する突起と、を含むことを特徴とする、請求項１に記載の二次電池。
【請求項１４】
前記第３短絡板は、前記第２短絡板と対向する面が平らであることを特徴とする、請求項１３に記載の二次電池。
【請求項１５】
前記二次電池の内部圧力が設定圧力より大きくなると、前記第２短絡板の突起は前記第１短絡板によって前記第３短絡板と線接触することを特徴とする、請求項１４に記載の二次電池。
【請求項１６】
前記第３短絡板は、前記第２短絡板と対向する面のうち前記短絡孔の内側から離隔する端部側に面取り部を有することを特徴とする、請求項１３に記載の二次電池。
【請求項１７】
前記二次電池の内部圧力が設定圧力より大きくなると、前記第２短絡板の突起は前記第１短絡板によって前記第３短絡板の面取り部と面接触することを特徴とする、請求項１６に記載の二次電池。
【請求項１８】
前記第３短絡板は前記第１短絡板より厚い厚さを有することを特徴とする、請求項１に記載の二次電池。
【発明の詳細な説明】
【技術分野】
【０００１】
本発明は、二次電池に関する。
【背景技術】
【０００２】
二次電池（Rechargeable  battery）は、充電が不可能な一次電池とは異なり、充電及び放電が可能な電池である。一つの電池セルがパック形態で包装された低容量電池の場合、携帯電話及びカムコーダーのような携帯可能な小型電子機器に使われ、電池パックが数十個連結された電池パック単位の大容量電池の場合、ハイブリッド自動車などのモーター駆動用電源として広く使われている。
【０００３】
二次電池は様々な形状で製造されているが、代表的に円筒形及び角形が挙げられ、正極板及び負極板の間に絶縁体であるセパレーター（separator）を介在して形成された電極組立体と電解液をケースに内蔵し、ケースに電極端子が形成されたキャップ組立体を設けて構成される。
【発明の概要】
【発明が解決しようとする課題】
【０００４】
一方、二次電池は、過充電などによって過度の熱が発生したり電解液が分解されたりすると、内部圧力が上昇して発火や爆発するおそれがある。これによって、安全性を向上させることができる構造の二次電池が要求されている。
【０００５】
そこで、本発明は、上記問題に鑑みてなされたものであり、本発明の目的とするところは、短絡板の接触時に発生する溶断現象を防止することが可能な、新規かつ改良された二次電池を提供することにある。
【課題を解決するための手段】
【０００６】
上記課題を解決するために、本発明のある観点によれば、電極組立体と、電極組立体を収容するケースと、ケースを密封し短絡孔を有する蓋板を含むキャップ組立体と、短絡孔に設けられる第１短絡板、蓋板から離隔した外側に短絡孔を覆うように設けられる第２短絡板、及び第１短絡板と第２短絡板の間に設けられる第３短絡板を含む短絡部材とを備えることを特徴とする二次電池が提供される。
【０００７】
上記第３短絡板は、第２短絡板から離隔してもよい。
【０００８】
上記第３短絡板は、短絡孔の一側に連結される一端部側と、短絡孔の他側から離隔する他端部側とを有してもよい。
【０００９】
上記第３短絡板は、二次電池の内部圧力が設定圧力より大きくなると、第１短絡板によって第２短絡板と接触することができる。
【００１０】
上記第１短絡板は、下方に突出するラウンド部と、蓋板に固定されラウンド部の縁に形成された縁部とを含む反転板からなってもよい。
【００１１】
上記短絡孔の内側は階段状からなり、短絡孔の直径は下部から上部に向かって大きくなってもよい。
【００１２】
上記短絡孔の側面は、下部から上部へ順に第１段差面、第２段差面及び第３段差面を有し、第１短絡板は第１段差面に固定され、第３短絡板は第２段差面の一側に固定されてもよい。
【００１３】
上記第２短絡板と蓋板の間に設けられ、短絡孔と対応する領域が開口された上部絶縁部材をさらに備えてもよい。
【００１４】
上記第２短絡板と第３短絡板は、対向する面が平らであってもよい。このとき、上記二次電池の内部圧力が設定圧力より大きくなると、第３短絡板は第１短絡板によって第２短絡板と線接触することができる。
【００１５】
上記第２短絡板は第３短絡板と対向する面が平らであり、第３短絡板は第２短絡板と対向する面のうち短絡孔の内側から離隔する端部側に角を削いだ形状を有する面取り部を有してもよい。このとき、上記二次電池の内部圧力が設定圧力より大きくなると、第２短絡板は第１短絡板によって第３短絡板の面取り部と面接触することができる。
【００１６】
上記第２短絡板は、ホールと、第３短絡板と対向する面に形成され、ホールの周辺に突出する突起とを含んでもよい。
【００１７】
上記第３短絡板は、第２短絡板と対向する面が平らであってもよい。このとき、上記二次電池の内部圧力が設定圧力より大きくなると、第２短絡板の突起は第１短絡板によって第３短絡板と線接触することができる。
【００１８】
上記第３短絡板は、第２短絡板と対向する面のうち短絡孔の内側から離隔する端部側に面取り部を有してもよい。このとき、上記二次電池の内部圧力が設定圧力より大きくなると、第２短絡板の突起は第１短絡板によって第３短絡板の面取り部と面接触することができる。
【００１９】
上記第３短絡板は第１短絡板より厚い厚さを有してもよい。
【発明の効果】
【００２０】
以上説明したように本発明によれば、短絡板の接触時に発生する溶断現象を防止できる。
【図面の簡単な説明】
【００２１】
【図１】本発明の一実施例に係る二次電池を示す斜視図である。
【図２】図１の二次電池のＩ−Ｉ’線断面図である。
【図３ａ】図２の「Ａ」部分の拡大断面図である。
【図３ｂ】図３ａの第３短絡板が第２短絡板に接触する場合を示す断面図である。
【図４ａ】本発明の他の実施例に係る二次電池のうち図２の「Ａ」部分と対応する部分の拡大断面図である。
【図４ｂ】図４ａの第３短絡板が第２短絡板に接触する場合を示す断面図である。
【図５ａ】本発明のまた他の実施例に係る二次電池のうち図２の「Ａ」部分と対応する部分の拡大断面図である。
【図５ｂ】図５ａの第３短絡板が第２短絡板に接触する場合を示す断面図である。
【図６ａ】本発明のまた他の実施例に係る二次電池のうち図２の「Ａ」部分と対応する部分の拡大断面図である。
【図６ｂ】図６ａの第３短絡板が第２短絡板に接触する場合を示す断面図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
図１は本発明の一実施例に係る二次電池を示す斜視図であり、図２は図１の二次電池のＩ−Ｉ’線断面図であり、図３ａは図２の「Ａ」部分の拡大断面図であり、図３ｂは図３ａの第３短絡板が第２短絡板に接触する場合を示す断面図である。
【００２４】
図１及び図２を参照すると、本発明の一実施例に係る二次電池１００は、電極組立体１０、第１集電板２０、第２集電板３０、ケース４０、キャップ組立体５０及び短絡部材６０を含む。
【００２５】
電極組立体１０は、薄い板形あるいは膜形に形成された第１電極板１１、セパレーター１３及び第２電極板１２の積層体を巻回するか重ねて形成する。ここで、第１電極板１１は正極として作用することができ、第２電極板１２は負極として作用することができる。
【００２６】
第１電極板１１は、アルミニウムのような金属箔で形成された第１電極集電体に遷移金属酸化物などの第１電極活物質を塗布することで形成され、第１活物質が塗布されない領域である第１電極無地部１１ａを含む。第１電極無地部１１ａは、第１電極板１１と第１電極板１１外部間の電流の流れる通路となる。一方、本発明で第１電極板１１の材質を限定するのではない。
【００２７】
第２電極板１２は、ニッケルまたは銅のような金属箔で形成された第２電極集電体に黒鉛または炭素などの第２電極活物質を塗布することで形成され、第２活物質が塗布されない領域である第２電極無地部１２ａを含む。第２電極無地部１２ａは、第２電極板１２と第２電極板１２外部間の電流の流れる通路となる。一方、本発明で第２電極板１２の材質を限定するのではない。
【００２８】
上記のような第１電極板１１及び第２電極板１２は、極性を異なるようにして配置されることができる。
【００２９】
セパレーター１３は、第１電極板１１と第２電極板１２の間に位置してショートを防止し、リチウムイオンの移動を可能にする役割を果たし、ポリエチレン、ポリプロピレン、またはポリエチレンとポリプロピレンの複合フィルムからなる。一方、本発明でセパレーター１３の材質を限定するのではない。
【００３０】
上記のような電極組立体１０の両側端部には、第１電極板１１及び第２電極板１２とそれぞれ電気的に連結されるための第１集電板２０及び第２集電板３０が結合される。
【００３１】
第１集電板２０はアルミニウムなどの導電性材質で形成され、電極組立体１０の一側端部に突出した第１電極無地部１１ａと接触することで、第１電極板１１と電気的に連結される。第１集電板２０は、図２に示すように、第１連結部２１、第１延長部２３、第１端子孔２４及び第１ヒューズ補強部２５を含んで構成されることができる。
【００３２】
第１連結部２１は、電極組立体１０の上部とキャップ組立体５０の下部の間に設けられ、プレート状に形成される。
【００３３】
第１延長部２３は、第１連結部２１の端部から折曲及び延長され、第１電極無地部１１ａと実質的に接触するプレート状に形成される。ここで、第１連結部２１と第１延長部２３が接する角を「Ｃ」とし、第１連結部２１と第１延長部２３は角Ｃを中心に垂直を成すことができる。
【００３４】
第１端子孔２４は第１連結部２１の一側に形成され、第１連結部２１のうち、キャップ組立体５０の第１電極端子５２が挿入及び結合される空間を提供する。ここで、第１端子孔２４は、第１連結部２１のうち角Ｃから遠く離隔して位置する。
【００３５】
第１ヒューズ補強部２５は、電解液と接触しないように電極組立体１０の上部領域、すなわち第１連結部２１上に形成される。また、第１ヒューズ補強部２５は、第１端子孔２４に結合される第１電極端子５２と重畳しないように、第１連結部２１のうち角Ｃと隣接する領域に位置する。具体的に、第１ヒューズ補強部２５は、第１ヒューズホール２５ａと、第１ヒューズホール２５ａの周辺に突出した第１補強突起２５ｂとを有する。第１ヒューズホール２５ａは、第１連結部２１のうち第１ヒューズホール２５ａが形成された領域が他の領域より小さい断面積を有するように形成される。第１ヒューズホール２５ａは、二次電池１００に短絡が発生して大きい電流が流れる場合、発生した熱によって第１ヒューズホール２５ａが形成された領域を溶断させて電流の流れを遮断するヒューズ機能を果たす。第１補強突起２５ｂは、第１ヒューズホール２５ａが形成された領域について、二次電池１００に短絡が発生する前に生ずる可能性のある外部衝撃に対する強度を補強する強度補強機能を果たす。
【００３６】
第２集電板３０はニッケルなどの導電性材質で形成され、電極組立体１０の他側端部に突出した第２電極無地部１２ａと接触することで、第２電極板１２と電気的に連結される。第２集電板３０は、第２連結部３１、第２延長部３３及び第２端子孔３４を含む。
【００３７】
第２集電板３０の第２連結部３１、第２延長部３３及び第２端子孔３４は、図２に示された第１集電板２０の１連結部２１、第１延長部２３及び第１端子孔２４と同じ形状を有し且つ同じ役割を果たすので、重複した説明は省略する。
【００３８】
ケース４０は、アルミニウム、アルミニウム合金またはニッケルがメッキされたスチールのような導電性金属で形成され、電極組立体１０、第１集電板２０及び第２集電板３０が挿入及び装着される開口部が形成された略六面体形状からなる。図２では、ケース４０とキャップ組立体５０が結合された状態が示されているので開口部が示されていないが、キャップ組立体５０はケース４０に形成された開口部に結合される。一方、ケース４０の内面は絶縁処理され、電極組立体１０、第１集電板２０、第２集電板３０及びキャップ組立体５０と絶縁される。ここで、ケース４０は一つの極性、例えば正極として作用することができる。
【００３９】
キャップ組立体５０はケース４０に結合される。キャップ組立体５０は、具体的に蓋板５１、第１電極端子５２、第２電極端子５３、ガスケット５４及びナット５５を含んで構成されることができる。また、キャップ組立体５０は、栓５６、ベントプレート５７、連結板５８、上部絶縁部材５９ａ及び下部絶縁部材５９ｂを含むことができる。
【００４０】
蓋板５１は、ケース４０の開口を密封し、ケース４０と同じ材質で形成されることができる。蓋板５１は、電解液注入口５１ａ、ベントホール５１ｂ及び短絡孔５１ｃを有することができる。ここで、短絡孔５１ｃの側面は階段状からなることができ、短絡孔５１ｃの直径は下部から上部に向かって大きくなることができる。よって、短絡孔５１ｃの内側には、第１段差面ＳＳ１、第２段差面ＳＳ２及び第３段差面ＳＳ３を含むことができる。第１段差面ＳＳ１がケース４０側に位置し、第３段差面ＳＳ３が二次電池１００の外側に位置し、第２段差面ＳＳ２が第１段差面ＳＳ１と第３段差面ＳＳ３の間に位置する。第１段差面ＳＳ１によって形成される短絡孔５１ｃの開口長さ（開口半径）は、第２段差面ＳＳ２、第３段差面ＳＳ３によって形成される短絡孔５１ｃより狭い。また、第２段差面ＳＳ２によって形成される短絡孔５１ｃの開口長さ（開口半径）は、第３段差面ＳＳ３によって形成される短絡孔５１ｃより狭い。蓋板５１はケース４０と同じ極性を有することができる。
【００４１】
第１電極端子５２は、蓋板５１の一側から他側に貫通して第１集電板２０と電気的に連結される。第１電極端子５２は、柱状に形成されることができ、蓋板５１の上部に露出した上部柱の外周縁にはねじ山が形成され、蓋板５１の下部に位置する下部柱には第１電極端子５２が蓋板５１から離脱しないようにフランジ５２ａが形成され、第１電極端子５２のうちフランジ５２ａの下部に位置する突起柱は第１集電板２０の第１端子孔２４に挿入される。ここで、第１電極端子５２は蓋板５１と電気的に連結されることができる。
【００４２】
第２電極端子５３は、蓋板５１の他側を貫通して第２集電板３０と電気的に連結される。第２電極端子５３は第１電極端子５２と同じ形状を有するので、重複した説明は省略する。但し、第２電極端子５３は蓋板５１と絶縁される。
【００４３】
ガスケット５４は、第１電極端子５２及び第２電極端子５３それぞれと蓋板５１との間に絶縁性材質で形成され、第１電極端子５２及び第２電極端子５３それぞれと蓋板５１との間の空間を密封する。ガスケット５４は、外部の水分が二次電池１００の内部に浸透できないようにし、且つ二次電池１００の内部に収容された電解液が外部に流出できないようにする。
【００４４】
ナット５５は、第１電極端子５２及び第２電極端子５３それぞれに形成されたねじ山に沿って締結され、第１電極端子５２及び第２電極端子５３それぞれを蓋板５１に固定する。
【００４５】
栓５６は、蓋板５１の電解液注入口５１ａを密封する。ベントプレート５７は、蓋板５１のベントホール５１ｂに設けられ、設定された圧力で開放されるように形成されたノッチ５７ａを含む。
【００４６】
連結板５８は、蓋板５１に形成された貫通孔内部で、第１電極端子５２と蓋板５１の間に挿入されるように形成され、ナット５５により蓋板５１とガスケット５４に密着される。連結板５８は、第１電極端子５２と蓋板５１を電気的に連結する。
【００４７】
上部絶縁部材５９ａは、蓋板５１に形成された貫通孔内部で、第２電極端子５３と蓋板５１の間に挿入されるように形成され、ナット５５により蓋板５１とガスケット５４に密着される。上部絶縁部材５９ａは、第２電極端子５３と蓋板５１を絶縁する。
【００４８】
下部絶縁部材５９ｂは、第１集電板２０と第２集電板３０それぞれと蓋板５１との間に形成され、不必要な短絡の発生を防止する。
【００４９】
短絡部材６０はキャップ組立体５０の上部に設けられ、過充電などによって二次電池１００の内部圧力が設定圧力より大きくなる場合、短絡を誘導する。そして、大電流が流れることで、発生した熱によって第１ヒューズホール２５ａが形成された領域を溶断させて、第１ヒューズ補強部２５が電流の流れを遮断するようにする。そのために、短絡部材６０は、導電性材質の第１短絡板６１、第２短絡板６２及び第３短絡板６３を含む。
【００５０】
図３ａに示すように、第１短絡板６１は蓋板５１の短絡孔５１ｃに設けられる。第１短絡板６１は、下方に突出したラウンド部６１ａと、短絡孔５１ｃの内側、例えば第１段差面ＳＳ１に固定されラウンド部６１ａの縁に形成された縁部６１ｂとを含む反転可能な板からなり、蓋板５１と電気的に連結されている。第１短絡板６１は、二次電池１００の内部圧力が設定圧力より大きくなる場合、反転して上方に突出することができる。ここで、第１短絡板６１はアルミニウム材質で形成されることができるが、これに本発明を限定するのではない。また、第１短絡板６１は反転可能であるように略０．４ｍｍ〜０．６ｍｍの厚さを有することができるが、これに本発明を限定するのではない。
【００５１】
第２短絡板６２は、蓋板５１から上部絶縁部材５９ａによって離隔された外側で、第２電極端子５３が挿入されるように形成され、短絡孔５１ｃを覆うように延びて設けられる。第２短絡板６２は第２電極端子５３と電気的に連結されている。ここで、第２短絡板６２は平らな上面と下面を有し、銅材質で形成されることができるが、これに本発明を限定するのではない。また、第２短絡板６２は１ｍｍ以上の厚さを有することができるが、これに本発明を限定するのではない。
【００５２】
第３短絡板６３は、第１短絡板６１と第２短絡板６２の間で第２短絡板６２から離隔して設けられ、平らな上面及び下面を有する。第３短絡板６３は、図３ｂに示すように、二次電池１００に過充電が発生して内部圧力が設定圧力より大きくなる場合、反転して上方に突出する第１短絡板６１によって第２短絡板６２と接触させられて短絡を誘発する。短絡が誘発されると、大きい電流が流れるようになって熱が発生する。この時、第１ヒューズ補強部２５はヒューズ機能を果たすことで、二次電池１００の安全性を向上させる。ここで、第３短絡板６３と第２短絡板６２は線接触（line  contact）する。
【００５３】
第３短絡板６３は、具体的に第２短絡板６２と接触するために、短絡孔５１ｃの一側に連結される一端部と、短絡孔５１ｃの他側から離隔する他端部とを有する。すなわち、第３短絡板６３の一端部は、第２段差面ＳＳ２の一側に固定され、第３短絡板６３の他端部は、上方に移動できるように第２段差面ＳＳ２の他側から離隔する。ここで、第３短絡板６３は蓋板５１と電気的に連結され、アルミニウム材質で形成されることができるが、これに本発明を限定するのではない。
【００５４】
また、第３短絡板６３は、第１短絡板６１より厚い厚さ、例えば０．７ｍｍ〜０．８ｍｍの厚さを有する。第３短絡板６３は、薄い厚さの第１短絡板６１の代わりに第２短絡板６２に接触して短絡を誘発することができる。これによって、第３短絡板６３は、薄い厚さの第１短絡板６１が第２短絡板６２に接触して短絡が発生した場合第１ヒューズ補強部２５がヒューズ機能を果たす前に第１短絡板６１が溶断されることを防止できる。よって、第３短絡板６３は、二次電池１００に過充電が発生して内部圧力が設定圧力より大きくなる場合、短絡状態を維持して第１ヒューズ補強部２５がヒューズ機能を果たすことができるようにする。
【００５５】
上記のように、本発明の一実施例に係る二次電池１００は、第１短絡板６１と第２短絡板６２の間に第１短絡板６１より厚い第３短絡板６３を備えることで、第２短絡板６２と薄い厚さを有する第１短絡板６１の接触時に発生する第１短絡板６１の溶断現象を防止することができる。
【００５６】
したがって、本発明の一実施例に係る二次電池１００は、過充電などによって内部圧力が設定圧力より大きくなる場合、第２短絡板６２と第３短絡板６３の接触によって誘発される短絡状態を維持することで、第１ヒューズ補強部２５のヒューズ機能が続くようにすることができる。
【００５７】
次に、本発明の他の実施例に係る二次電池について説明する。
【００５８】
図４ａは本発明の他の実施例に係る二次電池のうち図２の「Ａ」部分と対応する部分の拡大断面図であり、図４ｂは図４ａの第３短絡板１６３が第２短絡板６２に接触する場合を示す断面図である。
【００５９】
本発明の他の実施例に係る二次電池は、図２に示された二次電池１００と比較して短絡部材１６０の第３短絡板１６３の構成だけが異なり、同じ構成を有し且つ同じ作用をする。これによって、同じ構成についての図示及び重複した説明は省略し、第３短絡板１６３について重点的に説明する。
【００６０】
図４ａに示すように、本発明の他の実施例に係る二次電池の短絡部材１６０は、導電性材質の第１短絡板６１、第２短絡板６２及び第３短絡板１６３を含む。
【００６１】
第３短絡板１６３は、図３ａに示された第３短絡板６３と類似する。但し、第３短絡板１６３は、第２短絡板６２と対向する面の上記他端部側に角を削いだ形状を有する面取り（chamfer）部１６３ａを含む。面取り部１６３ａは、図４ｂに示すように、第３短絡板１６３が第１短絡板６１によって上方に移動する場合、第２短絡板６２と面接触（surface  contact）するようになって、第２短絡板６２と第３短絡板１６３の接触時抵抗を減少させることができる。
【００６２】
上記のように、本発明の他の実施例に係る二次電池は、面取り部１６３ａを有する第３短絡板１６３を備えることで、二次電池１００に過充電が発生して内部圧力が設定圧力より大きくなって第１短絡板６１が反転して上方に突出するとき、第２短絡板６２と第３短絡板１６３が接触する部分で溶断される現象が発生する可能性を減少させることができる。
【００６３】
次に、本発明のまた他の実施例に係る二次電池について説明する。
【００６４】
図５ａは本発明のまた他の実施例に係る二次電池のうち図２の「Ａ」部分と対応する部分の拡大断面図であり、図５ｂは図５ａの第３短絡板６３が第２短絡板２６２に接触する場合を示す断面図である。
【００６５】
本発明のまた他の実施例に係る二次電池は、図２に示された二次電池１００と比較して短絡部材２６０の第２短絡板２６２の構成だけが異なり、同じ構成を有し且つ同じ作用をする。よって、同じ構成についての図示及び重複した説明は省略し、第２短絡板２６２について重点的に説明する。
【００６６】
図５ａに示すように、本発明のまた他の実施例に係る二次電池の短絡部材２６０は、導電性材質の第１短絡板６１、第２短絡板２６２及び第３短絡板６３を含む。
【００６７】
第２短絡板２６２は、図３ａに示された第２短絡板６２と類似する。但し、第２短絡板２６２はホール２６２ａと突起２６２ｂを含む。
【００６８】
ホール２６２ａは、第２短絡板２６２と第３短絡板６３が接触して短絡が発生する場合、電流の流れが一定になるようにする。すなわち、ホール２６２ａは、第２短絡板２６２と第３短絡板６３の接触領域で抵抗が大きいため、第２短絡板２６２と第３短絡板６３の接触領域の抵抗と他の領域との抵抗差を最小化する。
【００６９】
突起２６２ｂは、第３短絡板６３と対向する面に形成され、ホール２６２ａの周辺に突出する。突起２６２ｂは、第２短絡板２６２と第３短絡板６３との距離を減少させて、第１短絡板６１によって第２短絡板２６２と第３短絡板６３を強く接触させることができる。
【００７０】
上記のように、本発明のまた他の実施例に係る二次電池は、ホール２６２ａと突起２６２ｂを有する第２短絡板２６２を備えることで、二次電池１００に過充電が発生して内部圧力が設定圧力より大きくなる場合、上方に突出する第１短絡板６１によって第２短絡板２６２と第３短絡板６３が接触して発生する短絡を容易に誘発させることができる。
【００７１】
次に、本発明のまた他の実施例に係る二次電池について説明する。
【００７２】
図６ａは本発明のまた他の実施例に係る二次電池のうち図２の「Ａ」部分と対応する部分の拡大断面図であり、図６ｂは図６ａの第３短絡板１６３が第２短絡板２６２に接触する場合を示す断面図である。
【００７３】
本発明のまた他の実施例に係る二次電池は、図２に示された二次電池１００と比較して短絡部材３６０の第２短絡板２６２と第３短絡板１６３の構成だけが異なり、同じ構成を有し且つ同じ作用をする。よって、同じ構成についての図示及び重複した説明は省略し、第２短絡板２６２と第３短絡板１６３について重点的に説明する。
【００７４】
図６ａに示すように、本発明のまた他の実施例に係る二次電池の短絡部材３６０は、導電性材質の第１短絡板６１、第２短絡板２６２及び第３短絡板１６３を含む。
【００７５】
第２短絡板２６２は、図３ａに示された第２短絡板６２と類似する。但し、第２短絡板２６２は、ホール２６２ａと突起２６２ｂを含む。第２短絡板２６２は図５ａを参照して既に説明されたので、重複した説明は省略する。
【００７６】
第３短絡板１６３は、図３ａに示された第３短絡板６３と類似する。但し、第３短絡板１６３は、第２短絡板２６２と対向する面の上記他端部側に角を削いだ形状を有する面取り（chamfer）部１６３ａを含む。第３短絡板１６３は図４ａを参照して既に説明されたので、重複した説明は省略する。
【００７７】
上記のように、本発明のまた他の実施例に係る二次電池は、ホール２６２ａと突起２６２ｂを有する第２短絡板２６２と、面取り部１６３ａを有する第３短絡板１６３とを備えることで、二次電池１００に過充電が発生して内部圧力が設定圧力より大きくなって第１短絡板６１が反転して上方に突出するとき、第２短絡板２６２と第３短絡板１６３が接触する部分で溶断される現象が発生する可能性を減少させることができると同時に、第２短絡板２６２と第３短絡板１６３が接触して発生する短絡を容易に誘発することができる。
【００７８】
以上のとおり、本発明の実施例に係る二次電池は、第１短絡板と第２短絡板の間に第１短絡板より厚い第３短絡板を備えることで、第２短絡板と薄い厚さを有する第１短絡板との接触時に発生する第１短絡板の溶断現象を防止することができる。これによって、本発明の実施例に係る二次電池は、過充電などによって内部圧力が設定圧力より大きくなる場合、第２短絡板と第３短絡板の接触によって誘発される短絡状態を維持することで、ヒューズ部のヒューズ機能が続くようにすることができる。
【００７９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８０】
１０    電極組立体
２０    第１集電板
３０    第２集電板
４０    ケース
５０    キャップ組立体
６０、１６０、２６０、３６０    短絡部材
６１    第１短絡板
６２、２６２    第２短絡板
６３、１６３    第３短絡板
１００    二次電池 
【図１】
2011154992.tif 000003
【図２】
2011154992.tif 000004
【図３ａ】
2011154992.tif 000005
【図３ｂ】
2011154992.tif 000006
【図４ａ】
2011154992.tif 000007
【図４ｂ】
2011154992.tif 000008
【図５ａ】
2011154992.tif 000009
【図５ｂ】
2011154992.tif 000010
【図６ａ】
2011154992.tif 000011
【図６ｂ】
2011154992.tif 000012